(57)【要約】【課題】外部入力端子を介した外部ビデオ入力において、外部機器に影響することなく二重音声の切換選択ができるテレビジョン受像機を提供する。【解決手段】外部入力５を介して入力された音声信号を、信号選択部６で選択制御部７からの選択制御信号に応じてステレオモード、主音声モード、副音声モードの３つから選択して信号切換器３へ出力する。選択された音声信号は、切換制御部４からの切換制御信号により、信号切換器３で端子ＴＬと端子ＴＬ４とが接続され、端子ＴＲと端子ＴＲ４とが接続されることで、それぞれスピーカ８Ｌ，８Ｒに供給される。スピーカ８Ｌ，８Ｒは、それぞれの音声信号に応じた音声出力を行う。【選択図】        図１
2004336248.tif 000002
【特許請求の範囲】
【請求項１】
第１および第２の音声出力手段を有するテレビジョン受像機において、
記録装置と接続された外部機器から音声多重信号の主音声信号および副音声信号、またはステレオ信号の左チャンネル音声信号および右チャンネル音声信号がそれぞれ供給される第１および第２の外部入力端子と、
上記主音声信号および副音声信号または上記左チャンネル音声信号および右チャンネル音声信号を上記第１および第２の音声出力手段にそれぞれ出力する第１の接続状態と、上記主音声信号を上記第１および第２の音声出力手段に出力する第２の接続状態と、上記副音声信号を上記第１および第２の音声出力手段に出力する第３の接続状態との何れかを有する選択手段と、
上記第１、第２および第３の接続状態の何れかを選択するように、上記選択手段を制御する制御手段とを有する
ことを特徴とするテレビジョン受像機。
【請求項２】
上記音声出力手段の出力が他の外部入力の音声またはテレビジョンの受信音声に切り換わる際に、上記接続手段が上記第１の接続状態に切り換わることを特徴とする請求項１に記載のテレビジョン受像機。
【請求項３】
さらに、上記選択手段の選択状態に応じた情報を表示する表示手段を有することを特徴とする請求項１に記載のテレビジョン受像機。
【発明の詳細な説明】
【０００１】
【発明の属する技術分野】
この発明は、テレビジョン受像機に関し、特に、音声多重放送の受信・復号機能を備えたテレビジョン受像機に適用して好適なものである。
【０００２】
【従来の技術】
従来の音声多重放送の受信・復号機能を備えたテレビジョン受像機（以下、適宜ＴＶと称する）のスピーカに出力される音声の切り換えについて、図３を参照して説明する。ＴＶ１１のチューナ１２を介して主音声と副音声とを有する二重音声のコンテンツが入力された場合について説明する。この場合、以下の３通りの音声出力の選択が可能である。
【０００３】
第１は、ステレオの左右チャンネルの音声を出力する場合である。この場合、ＴＶ１１の切換制御部１４からの制御信号により、左スピーカ１８Ｌと右スピーカ１８Ｒが左右の音声を出力するように信号切換器１３が切り換えられる。図３の例では、出力端子ＴＬと入力端子ＴＬ１とが接続され、出力端子ＴＲと入力端子ＴＲ１とが接続されるように信号切換器１３が切り換えられる。主音声と副音声とを同時に聞く場合もステレオ音声を聞く場合と同じように信号切換器１３が切り換えられる。
【０００４】
第２は、主音声のみを出力する場合である。この場合、ＴＶ１１の切換制御部１４からの制御信号により、左スピーカ１８Ｌと右スピーカ１８Ｒの両方が主音声を出力するように信号切換器１３が切り換えられる。図３の例では、出力端子ＴＬと入力端子ＴＬ２とが接続され、出力端子ＴＲと入力端子ＴＲ２とが接続されるように信号切換器１３が切り換えられる。
【０００５】
第３は、副音声のみを出力する場合である。この場合、ＴＶ１１の切換制御部１４からの制御信号により、左スピーカ１８Ｌと右スピーカ１８Ｒの両方が副音声を出力するように信号切換器１３が切り換えられる。図３の例では、出力端子ＴＬと入力端子ＴＬ３とが接続され、出力端子ＴＲと入力端子ＴＲ３とが接続されるように信号切換器１３が切り換えられる。
【０００６】
ＴＶ１１は、チューナ１２の他に外部からの音声信号の入力部として、外部入力１５を有する。外部入力１５は、ビデオテープレコーダ（以下、ＶＴＲと称する）、セットトップボックス等の外部機器からの音声信号を入力する。チューナ１２からの音声信号と外部入力１５からの音声信号のどちらをスピーカ１８Ｌ，１８Ｒに出力するかは、切換制御部１４からの制御信号により信号切換器１３を切り換えることでなされる。
【０００７】
ＶＴＲ内蔵型ＴＶ受像機の音声多重切換回路については、以下の特許文献１に開示されている。
【０００８】
【特許文献１】
特開平８−１４００１１号公報
【０００９】
【発明が解決しようとする課題】
しかしながら、上述の従来のテレビジョン受像機１１には、以下のような問題があった。チューナ１２から入力される二重音声のコンテンツを視聴する際は、主音声／副音声等の音声選択が可能であるが、外部入力１５から入力される二重音声のコンテンツを視聴する際は、主音声／副音声等の音声選択ができず、基本的に常にステレオ状態に固定されており、切換機能を有していないという問題があった。
【００１０】
通常、外部入力１５は、セットトップボックスやＶＴＲ等の外部機器の出力端子と接続される。したがって、これら外部機器において主音声／副音声の切り換えを行えば、ＴＶ１１で行う必要はない。しかしながら、図４に示すように、外部セットトップボックス１９から出力される二重音声のコンテンツを二重音声モードでビデオ２０等の記録装置で記録を行いながら、ＴＶ１１で聞く場合、主音声／副音声の両方の音声を分離することができず、混じって聞こえてしまうという問題があった。
【００１１】
この問題を避けるために、外部セットトップボックス９から、主音声または副音声の何れか一方を出力することが考えられる。しかしながら、その場合には、記録装置１０で二重音声を記録できないという問題が生じる。
【００１２】
したがって、この発明の目的は、外部入力端子から入力される音声信号を選択して出力することができるテレビジョン受像機を提供することにある。
【００１３】
【課題を解決するための手段】
上記目的を達成するために、請求項１の発明は、第１および第２の音声出力手段を有するテレビジョン受像機において、記録装置と接続された外部機器から音声多重信号の主音声信号および副音声信号、またはステレオ信号の左チャンネル音声信号および右チャンネル音声信号がそれぞれ供給される第１および第２の外部入力端子と、主音声信号および副音声信号または左チャンネル音声信号および右チャンネル音声信号を第１および第２の音声出力手段にそれぞれ出力する第１の接続状態と、主音声信号を第１および第２の音声出力手段に出力する第２の接続状態と、副音声信号を第１および第２の音声出力手段に出力する第３の接続状態との何れかを有する選択手段と、第１、第２および第３の接続状態の何れかを選択するように、選択手段を制御する制御手段とを有するテレビジョン受像機である。
【００１４】
上述のように構成されたこの発明によるテレビジョン受像機によれば、選択手段により、外部入力端子から入力される音声多重信号の主音声および副音声の音声信号、またはステレオ信号の左チャンネルおよび右チャンネルの音声信号を選択して第１および第２の音声出力手段に出力していることにより、外部入力端子から入力された主音声と副音声とを混じることなく出力することができる。
【００１５】
【発明の実施の形態】
以下、この発明の一実施形態について図面を参照しながら説明する。図１は、この一実施形態による音声多重放送の受信・復号機能を備えたテレビジョン受像機を示す。なお、図示しない部分については、従来と同様であるため、ここでは説明を省略する。ＴＶ１は、チューナ２、信号切換器３、切換制御部４、外部入力５、信号選択器６、選択制御部７、左スピーカ８Ｌおよび右スピーカ８Ｒを有する。
【００１６】
チューナ２は、使用者がリモートコントローラ（以下、リモコンと称する）等で選択したチャンネルの映像信号を入力する。チューナ２を介して入力された映像信号中の音声信号が信号切換器３へ供給される。この音声信号は、例えば主音声信号またはステレオの左チャンネル音声信号と、副音声信号またはステレオの右チャンネル音声信号との２つの音声信号に分離されて、信号切換器３へ供給される。また、チューナ２は、切換制御部４と接続されており、入力される音声信号の識別を行う。すなわち、音声多重放送かステレオ放送かを音声信号中の識別信号から検出する。
【００１７】
切換制御部４は、マイクロコンピュータ等からなり、使用者のリモコン等による操作、または上述した音声信号の識別結果に基づき切換制御信号を生成し、信号切換器３を制御する。
【００１８】
信号切換器３は、切換制御部４からの制御信号に基づき、以下の３通りの音声信号の出力の切り換えを行う。まず第１は、ステレオモード、すなわちステレオ音声を聞く場合である。この場合、左スピーカ８Ｌに左チャンネル音声信号（Ｌ）が出力され、右スピーカ８Ｒに右チャンネル音声信号（Ｒ）がそれぞれ出力されるように信号切換器３が切り換えられる。図１の切換回路の例では、出力端子ＴＬと入力端子ＴＬ１とが接続され、出力端子ＴＲと入力端子ＴＲ１とが接続されるように信号切換器３が切り換えられる。主音声と副音声とを同時にスピーカ８Ｌ，８Ｒで聞く場合でも、ステレオ音声を聞く場合と同じように信号切換器３が切り換えられる。
【００１９】
第２は、主音声モード、すなわち主音声のみを出力する場合である。この場合、左スピーカ８Ｌと右スピーカ８Ｒの両方に主音声信号が出力されるように信号切換器３が切り換えられる。図１の切換回路の例では、出力端子ＴＬと入力端子ＴＬ２とが接続され、出力端子ＴＲと入力端子ＴＲ２とが接続されるように信号切換器３が切り換えられる。
【００２０】
第３は、副音声モード、すなわち副音声のみを出力する場合である。この場合、左スピーカ８Ｌと右スピーカ８Ｒの両方に副音声信号が出力されるように信号切換器３が切り換えられる。図１の切換回路の例では、出力端子ＴＬと入力端子ＴＬ３とが接続され、出力端子ＴＲと入力端子ＴＲ３とが接続されるように信号切換器３が切り換えられる。
【００２１】
信号切換器３は、さらに切換制御部４からの制御信号に基づき、チューナ２から入力される音声信号と、後述する外部入力５から入力される音声信号の内、どちらの音声信号をスピーカ８Ｌ，８Ｒに出力するかを切り換える。図１の切換回路の例では、外部入力５から入力される音声信号を出力する場合、出力端子ＴＬと入力端子ＴＬ４とが接続され、出力端子ＴＲと入力端子ＴＲ４とが接続されるように信号切換器３が切り換えられる。
【００２２】
第１の音声出力手段であるスピーカ８Ｌおよび第２の音声出力手段であるスピーカ８Ｒは、信号切換器３から供給される音声信号に基づき、外部に音声を出力する。なお、スピーカ８Ｌは、主音声またはステレオの左チャンネルを出力するものの総称であり、スピーカ８Ｒは、副音声またはステレオの右チャンネルを出力するものの総称であり、ともに単体であるとは限らない。スピーカ８Ｌは、例えばＴＶ１の左側スピーカであり、スピーカ８Ｒは、例えばＴＶ１の右側スピーカである。
【００２３】
外部入力５は、第１および第２の外部入力端子からなる。第１および第２の外部入力端子は、ＶＴＲやセットトップボックス等の外部機器から、第１および第２の音声信号をそれぞれ入力する。例えば第１の音声信号が主音声信号またはステレオの左チャンネル音声信号であり、第２の音声信号が副音声信号またはステレオの右チャンネル音声信号である。
【００２４】
選択制御部７は、マイクロコンピュータ等からなり、使用者のリモコン等による操作によって、選択制御信号を生成し、信号選択器６を制御する。
【００２５】
信号選択器６は、選択制御部７からの制御信号に基づき、以下の３通りから音声信号を選択して出力する。まず第１は、ステレオ音声を聞く場合である。この場合、信号選択器６は、入力される第１および第２の音声信号をそのまま選択して出力する。図１の選択回路の例では、出力端子ＳＬと入力端子ＳＬ１とが接続され、出力端子ＳＲと入力端子ＳＲ２とが接続されるように信号選択器６が切り換えられる。主音声と副音声とを同時にスピーカ８Ｌ，８Ｒで聞く場合でも、ステレオ音声を聞く場合と同じように信号選択器６が切り換えられる。
【００２６】
第２は、主音声のみを出力する場合である。この場合、信号選択器６は、主音声信号のみを選択して出力する。図１の選択回路の例では、出力端子ＳＬと入力端子ＳＬ１とが接続され、出力端子ＳＲと入力端子ＳＲ１とが接続されるように信号選択器６が切り換えられる。
【００２７】
第３は、副音声のみを出力する場合である。この場合、信号選択器６は、主音声信号のみを選択して出力する。図１の選択回路の例では、出力端子ＳＬと入力端子ＳＬ２とが接続され、出力端子ＳＲと入力端子ＳＲ２とが接続されるように信号切換器３が切り換えられる。
【００２８】
スピーカ８Ｌ，８Ｒへ出力する音声信号を、外部入力５から入力される音声信号からチューナ２で受信された音声信号に切り換えられたり、図示しない他の外部入力から入力される音声出力に切り換えられたりした場合に、信号選択器６は、選択制御部７の制御信号により、所定の状態、例えば上述した第１のステレオ音声の入力モードに切り換えられる。
【００２９】
信号選択器６で選択された音声信号は、信号切換器３に供給される。図１の切換回路の例では、入力端子ＴＬ４に信号選択器６で選択された一方の音声信号が供給され、入力端子ＴＲ４に信号選択器６で選択された他方の音声信号が供給される。なお、主音声信号のみが信号選択器６で選択された場合には、入力端子ＴＬ４，入力端子ＴＲ４には共に主音声信号が供給される。副音声信号のみが信号選択器６で選択された場合には、入力端子ＴＬ４，入力端子ＴＲ４には共に副音声信号が供給される。
【００３０】
ＴＶ１は、外部入力５から入力され、スピーカ８Ｌ，８Ｒで出力されているときのステレオ、主音声、副音声などの音声出力の状態、すなわち信号選択器６の出力音声信号の選択状態に応じた情報を、使用者の要求により、いつでもＯＳＤ（Ｏｎ−Ｓｃｒｅｅｎ  Ｄｉｓｐｌａｙ）など表示画面等を通じて使用者に伝える機能を有する。なお、使用者への伝達は、ＬＥＤ（Ｌｉｇｈｔ  Ｅｍｉｔｔｉｎｇ  Ｄｉｏｄｅ）の点灯や音声によるものであってもよい。
【００３１】
ここで、ＴＶ１を外部機器と接続した場合の動作について説明する。図２は、外部セットトップボックス９から入力される映像信号を記録装置１０およびＴＶ１に供給する場合の接続構成の一例である。図２に示すように、外部セットトップボックス９で受信した映像信号をＶＴＲ等の記録装置１０で記録しながらＴＶ１で視聴するとする。
【００３２】
このとき、外部セットトップボックス９の音声出力を主音声と副音声の両方とし、記録装置１０で主音声と副音声の両方を記録するようにしたとしても、ＴＶ１内で主音声、副音声等の切り換えを行うことで、左スピーカ８Ｌ，８Ｒから出力される音声を主音声のみ、または副音声のみとすることができる。
【００３３】
以上説明したように、この一実施形態によるテレビジョン受像機によれば、選択制御部７および信号選択器６を備えることで、外部入力５から入力される音声信号を、以下の３つの接続状態から選択して出力することができる。第１の接続状態は、主音声および副音声の音声信号または左チャンネルおよび右チャンネルの音声信号を、スピーカ８Ｌおよびスピーカ８Ｒにそれぞれ出力するものである。第２の接続状態は、主音声の音声信号または左チャンネルの音声信号を、スピーカ８Ｌおよびスピーカ８Ｒに出力するものである。第３の接続状態は、副音声の音声信号または右チャンネルの音声信号を、スピーカ８Ｌおよびスピーカ８Ｒに出力するものである。
【００３４】
これにより、外部セットトップボックス９、記録装置１０などの外部機器から外部入力５を介して音声信号を入力している場合でも、音声の出力の切り換えをＴＶ１内で行うことができるので、外部機器に対して全く影響を与えることなく音声を切り換えることができる。したがって、記録装置１０で主音声と副音声の両方を記録しながらＴＶ１でその内容を視聴する場合でも、ＴＶ１側で主音声または副音声のみを選択的に聞くことができる。
【００３５】
また、信号切換器３および切換制御部４を従来と同じとし、信号選択部６および選択制御部７を新たに設けて、出力音声をステレオ、主音声、副音声のいずれかに切り換えていることにより、従来の回路構成を大幅に変更する必要がないため、コストを抑えて実現することができる。
【００３６】
また、スピーカ８Ｌ，８Ｒへ出力される音声信号が外部入力５以外の外部入力の音声信号またはチューナ２で受信された音声信号に切り換わった場合に、信号選択器６がステレオ音声モード等の所定の状態に切り換えられることにより、使用者が音声の切り換わり時に混乱することを防止することができる。
【００３７】
また、スピーカ８Ｌ，８Ｒが外部入力５から入力される音声信号により音声を出力しているときの、ステレオ、主音声、副音声等の音声出力の状態を、使用者の要求により画面等を通じて使用者に伝える機能をＴＶ１が備えることにより、使用者は、出力されている音声について容易に認識することができる。
【００３８】
この発明は、上述したこの発明の一実施形態に限定されるものでは無く、この発明の要旨を逸脱しない範囲内で様々な変形や応用が可能である。例えば、上述した一実施形態では、ステレオの左チャンネルに主音声を対応させ、ステレオの右チャンネルに副音声を対応させた構成とされているが、逆であってもよい。
【００３９】
また、上述した一実施形態では、外部機器として、ＶＴＲやセットトップボックスを例にしたが、これに限らず、ＤＶＤ（Ｄｉｇｉｔａｌ  Ｖｉｄｅｏ  Ｄｉｓｃ）プレーヤなど、他のＡＶ機器であってもよい。
【００４０】
【発明の効果】
以上説明したように、この発明によれば、外部入力手段から入力される第１および第２の音声信号を選択的に出力し、出力された音声信号に基づいて音声を出力することにより、テレビジョン受像機側で音声多重の切り換えを行うことができる。これにより、音声信号の供給元となる外部機器で音声切り換えを行わなくても、主音声／副音声あるいはその両方を自由に選択し、聞くことが可能になる。
【図面の簡単な説明】
【図１】この発明の一実施形態によるテレビジョン受像機の音声系統の構成を示す略線図である。
【図２】外部機器と接続した一実施形態によるテレビジョン受像機の動作の一例を示す略線図である。
【図３】従来のテレビジョン受像機の音声系統の構成を示す略線図である。
【図４】外部機器と接続した従来のテレビジョン受像機の動作の一例を示す略線図である。
【符号の説明】
１・・・テレビジョン受像機、２・・・チューナ、３・・・信号切換器、４・・・切換制御部、５・・・外部入力、６・・・信号選択器、７・・・選択制御部、８Ｌ・・・左側スピーカ、８Ｒ・・・右側スピーカ
【図１】
2004336248.tif 000003
【図２】
2004336248.tif 000004
【図３】
2004336248.tif 000005
【図４】
2004336248.tif 000006